(57)【要約】【課題】凝固シェルへの異物混入に起因する冷延鋼板での表面欠陥を安定して顕著に低減することが可能な連続鋳造技術を提供する。【解決手段】浸漬ノズル３０の吐出孔３１から下記（Ａ）および（Ｂ）の条件で溶鋼をモールド内に吐出するとともに、少なくとも長辺方向中央位置の凝固シェル厚さが５〜１０ｍｍとなる深さ領域の溶鋼に、双方の長辺側で互いに逆方向の長辺方向流れが生じるように電磁撹拌（ＥＭＳ）を行う、鋼の連続鋳造方法。（Ａ）浸漬ノズル吐出孔３１からの吐出延長線５２がモールド内の湯面４１と点Ｐで交わり、前記点Ｐの位置が、０.１５≦Ｍ／Ｗ≦０.４５を満たす条件。（Ｂ）０≦Ｌ−０.１７Ｖｉ≦３５０を満たす条件。ここで、Ｌの単位はｍｍ、Ｖｉは出口開口部３２における溶鋼の吐出速度（ｍｍ／ｓ）である。【選択図】図２
2018051483.tif 000002
【特許請求の範囲】
【請求項１】
水平面で切断したモールド内面の輪郭形状が長方形であるモールドを用いる鋼の連続鋳造において、前記長方形の長辺を構成する２つのモールド内壁面を「長辺面」、短辺を構成する２つのモールド内壁面を「短辺面」、長辺面に平行な水平方向を「長辺方向」、短辺面に平行な水平方向を「短辺方向」と呼ぶとき、
２つの吐出孔を有する浸漬ノズルを、モールド内の長辺方向および短辺方向の中心に設置し、上記各吐出孔からそれぞれ下記（Ａ）および（Ｂ）の条件で溶鋼をモールド内に吐出するとともに、少なくとも長辺方向中央位置の凝固シェル厚さが５〜１０ｍｍとなる深さ領域の溶鋼に、双方の長辺側で互いに逆方向の長辺方向流れが生じるように電力を印加して電磁撹拌（ＥＭＳ）を行う、鋼の連続鋳造方法。
（Ａ）浸漬ノズル吐出孔の出口開口部における溶鋼吐出流中心軸の延長線（以下「吐出延長線」という。）がモールド内の湯面と点Ｐで交わり、前記点Ｐの位置が下記（１）式を満たすように、浸漬ノズル吐出孔から溶鋼を水平より上向きに吐出する。
０.１５≦Ｍ／Ｗ≦０.４５  …（１）
ここで、Ｗは対向する短辺の湯面高さにおける距離（ｍｍ）、Ｍは対向する短辺間の長辺方向中央位置から上記点Ｐまでの長辺方向距離（ｍｍ）である。
（Ｂ）下記（２）式を満たすように、浸漬ノズル吐出孔から溶鋼を吐出する。
０≦Ｌ−０.１７Ｖｉ≦３５０  …（２）
ここで、Ｌは浸漬ノズル吐出孔の出口開口部中心位置から前記点Ｐまでの距離（ｍｍ）、Ｖｉは当該吐出孔の出口開口部における溶鋼の吐出速度（ｍｍ／ｓ）である。
【請求項２】
浸漬ノズルの２つの吐出孔は、吐出方向から見た出口開口部の面積がそれぞれ９５０〜３５００ｍｍ２である請求項１に記載の連続鋳造法。
【請求項３】
前記（２）式のＬが４５０ｍｍ以下である請求項１に記載の連続鋳造法。
【請求項４】
鋳造速度が０.９０ｍ／ｍｉｎ以上である請求項１に記載の連続鋳造法。
【請求項５】
鋼が、Ｃ含有量０.１２質量％以下、Ｃｒ含有量１０.５〜３２.０質量％のステンレス鋼である請求項１〜４のいずれか１項に記載の連続鋳造法。
【請求項６】
鋼が、質量％で、Ｃ：０.００１〜０.０８０％、Ｓｉ：０.０１〜１.００％、Ｍｎ：０.０１〜１.００％、Ｎｉ：０〜０.６０％、Ｃｒ：１０.５〜３２.０％、Ｍｏ：０〜２.５０％、Ｎ：０.００１〜０.０８０％、Ｔｉ：０〜１.００％、Ｎｂ：０〜１.００％、Ｖ：０〜１.００％、Ｚｒ：０〜０.８０％、Ｃｕ：０〜０.８０％、Ａｌ：０〜０.３０％、Ｂ：０〜０.０１０％、残部Ｆｅおよび不可避的不純物からなるフェライト系ステンレス鋼である請求項１〜４のいずれか１項に記載の連続鋳造法。
【発明の詳細な説明】
【技術分野】
【０００１】
本発明は、電磁撹拌（ＥＭＳ）を利用した鋼の連続鋳造方法に関する。
【背景技術】
【０００２】
鋼の連続鋳造法としては、２つの吐出孔を有する浸漬ノズルを用いて、溶鋼をモールド（鋳型）の中に注入する手法が広く採用されている。浸漬ノズルから吐出される溶鋼中には気泡や非金属粒子などが不可避的に混入している。代表的な気泡としてはアルゴンガス気泡が挙げられる。アルゴンは、ＶＯＤやＡＯＤの精錬工程で溶鋼中に吹き込まれたり、タンディッシュのシールガスとして使われたり、ノズル閉塞を防止するために意図的に溶鋼流路内に添加されたりするが、溶鋼中へほとんど溶解しないため、モールド内へ気泡として混入しやすい。非金属粒子は主として、精錬用スラグ、精錬過程で生成する脱酸生成物、取鍋やタンディッシュの構成材料である耐火物、タンディッシュの湯面上に存在していたパウダーなどの一部が溶鋼中に巻き込まれ、浸漬ノズルから溶鋼とともにモールド中に流入するものである。一方、モールド内の溶鋼の湯面上にはモールドパウダーが添加される。モールドパウダーは通常、湯面上に浮いて溶鋼表面を覆っており、鋳片とモールドの潤滑作用、保温、酸化防止等の機能を有するとともに、湯面に浮上してきた非金属粒子をトラップする働きもある。【０００３】
モールド内の溶鋼中に流入してきた気泡や非金属粒子は、溶鋼流に随伴してモールド内を浮遊するが、比較的サイズの大きいものは湯面近くに浮上しやすく、これらは初期に形成される凝固シェル（鋳片の表層部）の中に取り込まれることがある。また、湯面上のモールドパウダーも、初期の凝固シェル内に入り込むことがある。以下、これら凝固シェル内に取り込まれ得る溶鋼中の気泡、非金属粒子、モールドパウダーなどの物質、あるいは既に凝固シェル内に取り込まれたそれらの物質を、「異物」と呼ぶ。凝固シェル内への異物混入は、熱間圧延や冷間圧延の工程を経て鋼板の表面に欠陥（疵）を形成する要因となる。【０００４】
鋼の連続鋳造では、凝固シェルへの異物混入を抑制する措置として電磁撹拌（ＥＭＳ；Electro-Magnetic Stirrer）が有効であり、広く利用されている（例えば特許文献１など）。電磁撹拌によりモールド内の凝固シェル近傍の溶鋼を強制的に流動させることで、凝固シェル内に異物が捕捉されにくくなることが経験的に確かめられている。【０００５】
また、モールド内の湯面温度が低下すると、湯面とモールドが接する位置で、初期の凝固シェルが湯面からの抜熱に影響されて経時的に不均一な厚さで形成されやすくなると考えられる。この不均一な初期の凝固シェルは爪状の断面を呈しながらモールド表面に沿って下降し、これが、凝固シェルへの異物巻き込みを増大させる要因となる。従って、湯面の温度を高く維持することも凝固シェル内への異物混入を抑制する上で有効である。【０００６】
特許文献２には、浸漬ノズルの吐出角度を水平上向き５度から３０度の範囲とすることが記載されている（特許文献２段落００１３）。鋳造速度がおよそ０.９ｍ／ｍｉｎ以下のように小さい場合には、短辺から浸漬ノズルに向かう反転流が小さいので（同段落００２１）、通常の給湯ではメニスカス近傍の溶鋼温度を高温に保つことができない。そこで、ノズルの吐出角度を水平方向に対して上向きにしてメニスカスへの熱供給を促すことにより問題を解決している（同段落００２２）。溶鋼が浸漬ノズルから上向きに吐出されれば直接メニスカスに向かう流れが生じ、鋳型によって冷却されない溶鋼がメニスカスに供給され、メニスカスの温度が上昇するという（同段落００２３）。【０００７】
また特許文献２には、鋳造速度がおよそ０.９〜１.３ｍ／ｍｉｎの場合や、およそ１.３ｍ／ｍｉｎ以上というように大きい場合に、両側の長辺面で同一方向の電磁撹拌を行って、短辺からの反転流を加速または減速することにより、メニスカス近傍の溶鋼温度を高温に保つ手法が開示されている（同段落００２５〜００２９）。この場合、吐出角度は比較的小さくしてよいと教示され（同段落００２９）、実施例では上向き５°が採用されている（同表２）。上向き５°のときは、浸漬ノズルからの吐出流はモールドの短辺面へと向かい、湯面上には短辺からの反転流が流れ込む。
【先行技術文献】
【特許文献】
【０００８】
【特許文献１】特開２００４−９８０８２号公報
【特許文献２】特開平１０−１６６１２０号公報
【発明の概要】
【発明が解決しようとする課題】
【０００９】
特許文献２の開示によれば、連続鋳造時に浸漬ノズルからの溶鋼吐出角度を上向きにするとともに、適切な電磁撹拌を行うことによって、表面清浄性に優れ、表面割れのない鋳片が得られるという。しかしながら、本発明者らは多くの溶製実験の結果、鋳片の段階で表面性状が良好であると見なされる場合であっても、冷延鋼板にまで加工された段階で顕在化する表面欠陥を安定して顕著に低減できるとは限らないことを経験している。例えば、吐出角度を上向き５°程度にして電磁撹拌（ＥＭＳ）を併用する方法では、鋳造速度が０.９ｍ／ｍｉｍ以上と大きくても（すなわち吐出流量が比較的多くても）、凝固シェルへの異物混入に起因する冷延鋼板での表面欠陥は十分に低減しないことがあり、必ずしも鋼板の品質改善および歩留り改善には至らない。また、浸漬ノズルの吐出角度を例えば水平上向き３０度程度にまで高め、かつ電磁撹拌（ＥＭＳ）を併用したとしても、同様に、異物混入に起因する冷延鋼板での表面欠陥を安定して顕著に低減することができるとは限らないことがわかった。特に溶鋼がステンレス鋼である場合には、十分な改善効果を得ることは、より一層難しい。ステンレス鋼板の場合は普通鋼板と比べ美麗な表面外観を重視する用途が多く、表面性状の改善に対する要求基準も一般的に高い。そのことも、従来の技術の適用だけではステンレス鋼において十分な改善効果を得ることが難しい要因の一つとなっていると考えられる。【００１０】
本発明は、ステンレス溶鋼の連続鋳造に適用した場合であっても、凝固シェルへの異物混入に起因する冷延鋼板での表面欠陥を安定して顕著に低減することが可能な連続鋳造技術を提供しようというものである。
【課題を解決するための手段】
【００１１】
鋼の連続鋳造において、一般にモールド内溶鋼の湯面の温度低下を防ぐことは、凝固シェルへの異物混入の低減に有効であることが知られている。しかし、それだけでは電磁撹拌を併用しても上記目的を実現することは難しい。発明者らは詳細な検討の結果、浸漬ノズルから溶鋼を直接湯面に向けて吐出する手法を利用して、浸漬ノズルから吐出された溶鋼流のうち、湯面に到達する前にモールド短辺面へと向かってしまう溶鋼流を厳しく制限することが、凝固シェルへの異物混入の抑制に極めて効果的であることを見いだした。その際、浸漬ノズルから吐出された溶鋼流が湯面に到達するまでの時間が長くなりすぎないように吐出条件を制御し、かつ電磁撹拌（ＥＭＳ）を併用することが重要である。また、浸漬ノズルから吐出された溶鋼流ができるだけ広がらずに直接湯面へと収束して向かうようにすることが、湯面温度の確保には有利となる。【００１２】
ただし、鋼の連続鋳造において浸漬ノズルからの吐出流の方向を直接湯面に向けるような操業を、営業生産において実際に行うことは容易でない。そのような吐出方法だと湯面の波立ちが激しくなるので、凝固シェルの形成厚さが不均一になったりモールドパウダーを凝固シェルに巻き込んだりする弊害が顕著に現れる恐れがあるためである。その場合、吐出速度を低減すれば湯面の波立ちは抑えられる。しかし反面、吐出速度の低下は逆に湯面温度の低下に繋がりやすく、また、生産性の低下を招く要因となる。本発明者らは、上記弊害を防止しながら凝固シェルへの異物混入を顕著に低減できる手法を見いだした。【００１３】
すなわち上記目的を達成するために、以下の発明を開示する。
［１］水平面で切断したモールド内面の輪郭形状が長方形であるモールドを用いる鋼の連続鋳造において、前記長方形の長辺を構成する２つのモールド内壁面を「長辺面」、短辺を構成する２つのモールド内壁面を「短辺面」、長辺面に平行な水平方向を「長辺方向」、短辺面に平行な水平方向を「短辺方向」と呼ぶとき、
２つの吐出孔を有する浸漬ノズルを、モールド内の長辺方向および短辺方向の中心に設置し、上記各吐出孔からそれぞれ下記（Ａ）および（Ｂ）の条件で溶鋼をモールド内に吐出するとともに、少なくとも長辺方向中央位置の凝固シェル厚さが５〜１０ｍｍとなる深さ領域の溶鋼に、双方の長辺側で互いに逆方向の長辺方向流れが生じるように電力を印加して電磁撹拌（ＥＭＳ）を行う、鋼の連続鋳造方法によって達成される。
（Ａ）浸漬ノズル吐出孔の出口開口部における溶鋼吐出流中心軸の延長線（以下「吐出延長線」という。）がモールド内の湯面と点Ｐで交わり、前記点Ｐの位置が下記（１）式を満たすように、浸漬ノズル吐出孔から溶鋼を水平より上向きに吐出する。
０.１５≦Ｍ／Ｗ≦０.４５  …（１）
ここで、Ｗは対向する短辺の湯面高さにおける距離（ｍｍ）、Ｍは対向する短辺間の長辺方向中央位置から上記点Ｐまでの長辺方向距離（ｍｍ）である。
（Ｂ）下記（２）式を満たすように、浸漬ノズル吐出孔から溶鋼を吐出する。
０≦Ｌ−０.１７Ｖｉ≦３５０  …（２）
ここで、Ｌは浸漬ノズル吐出孔の出口開口部中心位置から前記点Ｐまでの距離（ｍｍ）、Ｖｉは当該吐出孔の出口開口部における溶鋼の吐出速度（ｍｍ／ｓ）である。【００１４】
［２］浸漬ノズルの２つの吐出孔は、吐出方向から見た出口開口部の面積がそれぞれ９５０〜３５００ｍｍ２である上記［１］に記載の連続鋳造法。【００１５】
［３］前記（２）式のＬが４５０ｍｍ以下である上記［１］または［２］に記載の連続鋳造法。【００１６】
［４］鋳造速度が０.９０ｍ／ｍｉｎ以上である上記［１］〜［３］のいずれかに記載の連続鋳造法。【００１７】
［５］鋼が、Ｃ含有量０.１２質量％以下、Ｃｒ含有量１０.５〜３２.０質量％のステンレス鋼である上記［１］〜［４］のいずれかに記載の連続鋳造法。【００１８】
［６］鋼が、質量％で、Ｃ：０.００１〜０.０８０％、Ｓｉ：０.０１〜１.００％、Ｍｎ：０.０１〜１.００％、Ｎｉ：０〜０.６０％、Ｃｒ：１０.５〜３２.０％、Ｍｏ：０〜２.５０％、Ｎ：０.００１〜０.０８０％、Ｔｉ：０〜１.００％、Ｎｂ：０〜１.００％、Ｖ：０〜１.００％、Ｚｒ：０〜０.８０％、Ｃｕ：０〜０.８０％、Ａｌ：０〜０.３０％、Ｂ：０〜０.０１０％、残部Ｆｅおよび不可避的不純物からなるフェライト系ステンレス鋼である上記［１］〜［４］のいずれかに記載の連続鋳造法。
【発明の効果】
【００１９】
本発明の手法を適用すると、鋼の連続鋳造で不可避的に発生する凝固シェルへの異物混入を、安定して顕著に低減することが可能となる。タンディッシュのシールガスやノズル閉塞防止用ガスとしてアルゴンガスを使用する場合には、アルゴンガス気泡が異物として混入することを顕著に低減できる。従って本発明によれば、鋳片や熱延鋼板の表面に特段の機械的または化学的除去加工を施すことなく、上記異物に起因する表面欠陥が極めて少ない高品質の冷間圧延鋼板を得ることができる。本発明の連続鋳造法は、美麗な表面外観が望まれるステンレス鋼に適用すると、特に効果的である。
【図面の簡単な説明】
【００２０】
【図１】本発明に適用できる連続鋳造装置について、モールド内溶鋼の湯面高さにおける水平面で切断した断面構造を模式的に例示した断面図。
【図２】本発明に適用できる連続鋳造装置について、対向する長辺面の中央位置を通る平面で切断した断面構造を模式的に例示した断面図。
【図３】電磁撹拌を使用した方法で得られた本発明に従うフェライト系ステンレス鋼の連続鋳造スラブについての鋳造方向に垂直な断面の金属組織写真。
【図４】電磁撹拌を使用しない方法で得られたフェライト系ステンレス鋼の連続鋳造スラブについての鋳造方向に垂直な断面の金属組織写真。
【発明を実施するための形態】
【００２１】
図１に、本発明に適用できる連続鋳造装置について、モールド内溶鋼の湯面高さにおける水平面で切断した断面構造を模式的に例示する。「湯面」は溶鋼の液面である。湯面上には通常、モールドパウダーの層が形成されている。対向する２組のモールド（１１Ａ、１１Ｂ）、（２１Ａ、２２Ｂ）に囲まれた領域の中央に浸漬ノズル３０が設置されている。浸漬ノズルは湯面より下方に２つの吐出孔を有しており、それらの吐出孔から溶鋼４０がモールド内部に連続供給され、モールド内の所定高さ位置に湯面が形成される。水平面で切断したモールド内壁面の輪郭形状は長方形であり、図１中には長方形の長辺を構成する「長辺面」を符号１２Ａ、１２Ｂ、短辺を構成する「短辺面」を符号２２Ａ、２２Ｂで表示している。また、長辺面に平行な水平方向を「長辺方向」、短辺面に平行な水平方向を「短辺方向」と呼ぶ。図１中には白抜き矢印により長辺方向を符号１０、短辺方向を符号２０で表示している。湯面高さにおいて、長辺面１２Ａと１２Ｂの距離は例えば１５０〜３００ｍｍ、短辺面２２Ａと２２Ｂの距離（後述図２のＷ）は例えば６００〜２０００ｍｍである。
【００２２】
モールド１１Ａおよび１１Ｂの背面にはそれぞれ電磁撹拌装置７０Ａおよび７０Ｂが設置され、少なくとも長辺面１２Ａおよび１２Ｂの表面に沿って形成される凝固シェルの厚さが５〜１０ｍｍとなる深さ領域において、溶鋼に長辺方向の流動力を付与することができるようになっている。ここで、「深さ」は湯面の高さ位置を基準とした深さである。連続鋳造中、湯面は多少揺れ動くが、本明細書では平均湯面高さを湯面の位置とする。凝固シェルの厚さが５〜１０ｍｍとなる深さ領域は、鋳造速度やモールドからの抜熱速度にも依るが、一般的には湯面からの深さが３００ｍｍ以下の範囲内に存在する。従って、電磁撹拌装置７０Ａ、７０Ｂは湯面から３００ｍｍ深さ程度までの溶鋼に流動力を付与できる位置に設置してある。
【００２３】
図１中には、凝固シェルの厚さが５〜１０ｍｍとなる深さ領域において電磁撹拌装置７０Ａおよび７０Ｂの電磁力によって生じる長辺面近傍の溶鋼流方向を、それぞれ黒の矢印６０Ａおよび６０Ｂによって示してある。電磁撹拌による流動動向は、双方の長辺側で互いに逆方向の長辺方向流れが生じるようにする。この場合、凝固シェル厚さが１０ｍｍ程度になるまでの深さ領域で、既に形成された凝固シェルに接触する溶鋼の水平方向流れが、モールド内で渦を描くような流れとなる。この渦流は、浸漬ノズルからの吐出流を後述するようにコントロールすることによって、停滞を生じることなく円滑に維持され、凝固シェルに拘束されそうになった溶鋼中の異物を再び溶鋼中へ洗い流す作用が長辺方向および短辺方向の全体にわたって顕著に発揮される。これにより、鋳造中の異物混入に起因する欠陥が非常に少ない鋼板製品を安定して製造することが可能になる。
【００２４】
図２に、本発明に適用できる連続鋳造装置について、対向する長辺面の中央位置を通る平面で切断した断面構造を模式的に例示する。図２中には白抜き矢印により長辺方向を符号１０で示してある。浸漬ノズル３０の中心位置に対して左右対称の断面構造を有するため、浸漬ノズル３０と一方の短辺側モールド２１Ｂを含む部分を示した。図２中のＷは対向する短辺面の湯面高さにおける距離を意味する。浸漬ノズルの中心位置と一方の短辺面２２Ｂの距離は０.５Ｗである。浸漬ノズル３０は、長辺方向の両側に吐出孔３１を有している。吐出孔３１は、溶鋼の吐出方向５１が水平面に対して上向きとなるように作られている。この水平面と吐出方向５１のなす角度θを吐出角と呼ぶ。吐出孔３１の出口開口部３２から出た溶鋼吐出流は、ある程度広がりながら溶鋼４０中を進むが、出口開口部３２の位置における吐出流束の中心を「吐出流中心軸」と呼ぶとき、吐出流中心軸の溶鋼が向かう方向を「吐出方向」として定めることができる。出口開口部３２位置における吐出流束の中心点を出発点として、その出発点から吐出方向に伸びる直線を「吐出流中心軸の延長線」と定義する。以下、吐出流中心軸の延長線を「吐出延長線」と呼ぶ。図２中に吐出延長線を符号５２で表している。また、吐出延長線５２と湯面４１の交点を点Ｐとする。
【００２５】
本発明では、２つの吐出孔３１のいずれにおいても、吐出延長線５２と湯面４１の交点Ｐの位置が下記（１）式を満たすように、浸漬ノズル吐出孔から溶鋼を水平より上向きに吐出する。
０.１５≦Ｍ／Ｗ≦０.４５  …（１）
ここで、Ｗは対向する短辺の湯面高さにおける距離（ｍｍ）、Ｍは対向する短辺間の長辺方向中央位置から上記点Ｐまでの長辺方向距離（ｍｍ）である。
【００２６】
上記（１）式を満たすとき、図２において点Ｐの位置は、Ｍが０.１５Ｗ以上０.４５Ｗ以下となる範囲にある。このような吐出方向とした場合に、湯面全体に吐出溶鋼からの熱を効率的に行き渡らせることができ、湯面全体の温度を高く維持することが可能となる。また、（１）式を満たす吐出流は、電磁撹拌による上述の渦流の形成を阻害しにくいことがわかった。これにより円滑な渦流が維持され、凝固シェルへの異物の巻き込み抑制効果が顕著に向上する。Ｍ／Ｗが０.１５より小さい場合（すなわちＭが０.１５Ｗより小さい場合）は、短辺面近傍の湯面に吐出流が届くまでの時間が長くなり、短辺面近傍で湯面温度が低下しやすい。湯面温度の低下は爪状の断面を有する不均一な初期凝固シェルの生成を招き、異物の巻き込みを増大させる要因となる。一方、Ｍ／Ｗが０.４５を超えて大きい場合（すなわちＭが０.４５Ｗを超えて大きい場合）は、長辺方向中央付近の湯面温度が低下するだけでなく、浸漬ノズルからの吐出流のうち、直接湯面に到達せずに短辺面に向かう流れが増加することにより、湯面全体の平均温度も低下するようになる。さらに、短辺面に向かう吐出流の流れは、電磁撹拌によって生じる渦流を乱す要因となる。この場合、電磁撹拌流が局所的に不安定となり、その流れが停滞ぎみとなった箇所で凝固シェル表面での異物の拘束が生じやすくなる。
【００２７】
なお、上記（１）式に代え、下記（１）’式を満たす条件を適用することが一層効果的である。
０.２０≦Ｍ／Ｗ≦０.４０  …（１）’
【００２８】
また、２つの吐出孔３１のいずれにおいても、下記（２）式を満たすように、浸漬ノズル吐出孔から溶鋼を吐出することが重要である。
０≦Ｌ−０.１７Ｖｉ≦３５０  …（２）
ここで、Ｌは浸漬ノズル吐出孔の出口開口部中心位置から前記点Ｐまでの距離（ｍｍ）、Ｖｉは当該吐出孔の出口開口部における溶鋼の吐出速度（ｍｍ／ｓ）である。出口開口部中心位置は、出口開口部３２位置における吐出流束の中心点、すなわち吐出延長線の出発点である。
【００２９】
図２中にＬを表示してある。Ｖｉについては、当該吐出孔からの単位時間当たりの溶鋼吐出量（ｍｍ３／ｓ）を、吐出方向（吐出延長線の方向）から見た出口開口部の面積（ｍｍ２）で除することによって定まる平均吐出速度（ｍｍ／ｓ）の値を採用することができる。連続鋳造用のモールドは凝固収縮を考慮して上端から下端へ向けて内面の断面寸法が僅かに小さくなるようにテーパーがつけられている場合もある。そのような場合でも、Ｖｉを算出するために鋳造速度とモールド寸法から単位時間当たりの溶鋼吐出量を求める際には、湯面高さでのモールド寸法を採用して問題ない。浸漬ノズルから吐出された溶鋼は、湯面に到達するまでの時間が長くなるほど、湯面到達時点での温度は低くなる。湯面に到達するまでの時間は、吐出孔の出口から湯面までの距離Ｌ、および吐出速度Ｖｉの他に、溶鋼中での減速の影響を加味して評価する必要がある。（２）式中のＬ−０.１７Ｖｉは、上記各要因を考慮した温度低下指標である。発明者らは多くの溶製チャージを利用した実験結果に基づき、（２）式を満たす条件とすることで、湯面温度を安定して高く維持することができ、凝固シェルへの異物の巻き込みが安定して低減されることを見いだした。ただし、上記（１）式を満たす吐出方向とすることが（２）式を適用するための前提条件となる。
【００３０】
（２）式中のＬ−０.１７Ｖｉ値が小さいほど、湯面温度を高く維持するうえで有利となる。ただし、Ｌ−０.１７Ｖｉ値が０より小さくなると吐出流が直接湯面に到達することに起因する湯面の波立ちが過大となり、湯面上に存在するモールドパウダーを凝固シェル中に異物として巻き込む可能性が急増する。一方、Ｌ−０.１７Ｖｉ値が３５０を超えるような吐出条件では湯面に到達するまでに吐出流温度の低下が大きくなり、吐出方向が前記（１）式を満たす吐出方向であっても、湯面温度を高く維持することによる凝固シェルへの異物の巻き込み抑制効果が弱くなる。
【００３１】
なお、上記（２）式に代え、下記（２）’式を満たす条件を適用することが一層効果的である。
２０≦Ｌ−０.１７Ｖｉ≦３００  …（２）’
【００３２】
（１）式あるいは（１）’式を満たす吐出条件に調整するためには、浸漬ノズルの吐出角度、浸漬ノズルの浸漬深さをコントロールすればよい。また（２）式あるいは（２）’式を満たす吐出条件に調整するためには、さらに吐出速度Ｖｉをコントロールすればよい。吐出速度Ｖｉは吐出開口部のサイズ（吐出方向から見た出口開口部の面積）および単位時間当たりの溶鋼吐出量に依存する。
【００３３】
浸漬ノズル吐出孔の出口開口部のサイズは、吐出速度Ｖｉに影響するだけでなく、吐出流束の広がり方にも影響する。発明者らの検討によれば、出口開口部のサイズが小さい吐出孔を有する浸漬ノズルを使うことによって、同じ吐出流量を確保するにあたっての吐出速度Ｖｉを大きくすることができることに加え、吐出流束の広がりを抑制するうえでも有利となることがわかった。吐出流速の広がりが小さいほど、電磁撹拌によって生じる溶鋼流と干渉しにくくなり、安定した渦流を形成するために必要な電磁撹拌の電力も小さくて済む。従って、出口開口部のサイズが小さい浸漬ノズルを使用することは、電磁撹拌条件の設定自由度を拡大するうえで極めて効果的である。種々検討の結果、吐出方向（吐出延長線の方向）から見た出口開口部の面積が９５０〜３５００ｍｍ２である吐出孔を２個備えた浸漬ノズルを適用することがより好ましい。９５０〜３０００ｍｍ２であることがより効果的である。出口開口部の面積が９５０未満になるとノズル閉塞等のトラブルが生じやすくなる。
【００３４】
また、上記（２）式のＬ（浸漬ノズル吐出孔の出口開口部中心位置から前記点Ｐまでの距離）が長くなると、吐出流の広がりによる影響が大きくなりやすい。種々検討の結果、Ｌが４５０ｍｍ以下となる条件で吐出させた場合に、電磁撹拌によって形成される渦流への干渉が小さくなることによって、電磁撹拌流による異物の洗い流し効果がより顕著となり、冷延鋼板での表面欠陥の顕在化が一層効果的に抑制できることがわかった。ただし、Ｌが小さくなりすぎると（２）式を満たすための吐出速度Ｖｉの自由度が小さくなってしまう。Ｌは２００ｍｍ以上を確保することが好ましい。出口開口部の面積が上述のように調整されている浸漬ノズルを用いて、かつ上記Ｌを４５０ｍｍ以下とすることがより一層効果的である。
【００３５】
従来、鋳造速度が大きい場合には、それに伴って吐出速度も大きくなるため、上向きの吐出角度を大きくして直接湯面に向けて吐出することは困難であるとされてきた。しかし、（２）式を満たすような吐出条件とすれば、湯面の波立ちが激しくならない範囲で十分な吐出量を確保することができる。そのため、鋳造速度が大きい場合にも湯面温度の高温化・均一化によって凝固シェルへの異物巻き込みを顕著に抑止することができる。特に、本発明は鋳造速度が０.９０ｍ／ｍｉｎ以上、あるいは０.９０ｍ／ｍｉｎを超えるような鋳造速度においても優れた効果を発揮する。鋳造速度の上限は設備能力に依存するが、通常、１.８０ｍ／ｍｉｎ以下とすればよく、１.６０ｍ／ｍｉｎ以下に管理してもよい。
【００３６】
電磁撹拌による溶鋼流動速度については、長辺方向中央位置での凝固シェルの厚さが５〜１０ｍｍとなる深さ領域において、凝固シェル表面が接する溶鋼の長辺方向平均流速が例えば１００〜６００ｍｍ／ｓとなるようにすればよい。２００〜４００ｍｍ／ｓとなるように管理してもよい。凝固シェル表面が接する溶鋼の長辺方向流速は、溶製された鋳片について、鋳造方向に垂直な断面の金属組織を調べることによって確認することができる。
【００３７】
図３に、電磁撹拌を使用した方法で得られた本発明に従うフェライト系ステンレス鋼の連続鋳造スラブについて、鋳造方向に垂直な断面の金属組織写真を例示する。写真上部の端面がモールド長辺面に接触して得られた表面（鋳造スラブ厚さ方向端部の表面）であり、写真の横方向が鋳造時の長辺方向に相当する。観察試料は長辺方向中央部付近から採取した。スケールの１目盛りは１ｍｍである。溶融金属が鋳型に対して流動している場合、流れの上流側に傾斜して結晶の凝固が進行し、流速が大きいほど結晶成長の傾斜角度は大きくなることが知られている。図３の例では柱状晶の成長方向が右側に傾斜している。従って、凝固シェルに接触する溶鋼は写真の右から左へと流れていたことがわかる。凝固シェルに接触する溶鋼の流動速度と結晶成長の傾斜角度の関係は、例えば回転する棒状の抜熱体を用いた凝固実験により知ることができる。予めラボ実験により求めたデータに基づいて、連続鋳造時の凝固シェルが接触する溶鋼の流速を推定することができる。図３の例では、表面から５〜１０ｍｍの距離における柱状晶の平均傾斜角度から、凝固シェルの厚さが５〜１０ｍｍとなる深さ領域において凝固シェル表面が接する溶鋼の長辺方向平均流速は約３００ｍｍ／ｓであると推定される。なお、オーステナイト系ステンレス鋼の場合はデンドライト１次アームの傾斜角度を読みとることによって凝固シェル表面が接する溶鋼の流速を評価することができる。
【００３８】
図４に、電磁撹拌を使用しない方法で得られたフェライト系ステンレス鋼の連続鋳造スラブについて、鋳造方向に垂直な断面の金属組織写真を例示する。試料の観察位置は図３と同様である。スケールの１目盛りは１ｍｍである。この場合、柱状晶の成長方向に傾斜は見られない。すなわち、この鋳片の凝固シェル厚さが５〜１０ｍｍである部分は、溶鋼の長辺方向流れが生じていない状態で凝固したものであることがわかる。
【００３９】
浸漬ノズルからの吐出条件を上述の条件にコントロールすること、および上述のように電磁撹拌（ＥＭＳ）を行うこと以外は、従来一般的な連続鋳造の手法を適用することができる。例えば、モールド内の下部領域に別の電磁撹拌装置を設置して、鉛直上向きの溶鋼流を生じさせる手法を適用することもできる。その場合、凝固シェルへの異物の混入を更に低減させる効果が期待できる。
【００４０】
本発明の連続鋳造方法は、従来から連続鋳造法を適用して製造されている種々の鋼種に対して有効である。なかでも、美麗な表面外観を要求されることが多いステンレス鋼に適用すると、より効果的である。ステンレス鋼とは、ＪＩＳ  Ｇ０２０３：２００９の番号３８０１に規定されるように、Ｃ含有量０.１２質量％以下、Ｃｒ含有量１０.５％以上の合金鋼である。過剰なＣｒ含有は製造性の低下およびコスト上昇を招くので、Ｃｒ含有量は３２.０質量％以下とすることが望ましい。より具体的なステンレス鋼の規格鋼種としては、例えばＪＩＳ  Ｇ４３０５：２０１２に示されている種々のものを挙げることができる。
【００４１】
具体的な成分組成として、例えば、質量％で、Ｃ：０.００１〜０.０８０％、Ｓｉ：０.０１〜１.００％、Ｍｎ：０.０１〜１.００％、Ｎｉ：０〜０.６０％、Ｃｒ：１０.５〜３２.０％、Ｍｏ：０〜２.５０％、Ｎ：０.００１〜０.０８０％、Ｔｉ：０〜１.００％、Ｎｂ：０〜１.００％、Ｖ：０〜１.００％、Ｚｒ：０〜０.８０％、Ｃｕ：０〜０.８０％、Ａｌ：０〜０.３０％、Ｂ：０〜０.０１０％、残部Ｆｅおよび不可避的不純物からなるフェライト系ステンレス鋼を例示することができる。特に上記フェライト系ステンレス鋼のなかでも、Ｃ含有量が０.００１〜０.０３０質量％、Ｎ含有量が０.００１〜０.０２５質量％に制限されるような、いわゆるフェライト単相系鋼種には本発明の適用が極めて有用である。このような低Ｃ低Ｎのフェライト系鋼種では、タンディッシュの溶鋼ができるだけ窒素成分と接触しないような操業条件が採用されるが、窒素成分との接触を回避する手段としてタンディッシュ内の気相部をアルゴンガスでシールする操業を行ったときにも、モールド内に持ち来たされたアルゴンガス気泡が凝固シェルに巻き込まれることを効果的に抑止できる。
【実施例】
【００４２】
《実施例１》
表１に示す化学組成のフェライト系ステンレス鋼を連続鋳造装置で鋳造して鋳片（スラブ）を製造した。【００４３】
【表１】
2018051483.tif 000003
【００４４】
連続鋳造のモールドサイズについては、湯面高さにおいて、短辺長さは２００ｍｍとし、長辺長さ（図２のＷ）は７００〜１６５０ｍｍの範囲内に設定した。モールド下端における寸法は凝固収縮を考慮して上記よりも僅かに小さくなっている。鋳造速度は０.５０〜１.５０ｍ／ｍｉｎの範囲で設定した。対向する両長辺のモールド背面にそれぞれ電磁撹拌装置を設置し、モールド内の湯面近傍の深さ位置から約２００ｍｍ深さ位置までの溶鋼に長辺方向の流動力を付与するように電磁撹拌を行った。図１に示したように、対向する両長辺側で流動方向が逆方向となるようにした。各例において電磁撹拌力は同一とした。凝固シェルの厚さが５〜１０ｍｍとなる深さ領域において凝固シェル表面が接する溶鋼の長辺方向平均流速は、両長辺面側とも長辺方向中央位置で約３００ｍｍ／ｓとなるようにした。【００４５】
浸漬ノズルは、長辺方向の両側に２つの吐出孔を有するものを、長辺方向および短辺方向の中心位置に設置した。浸漬ノズルの外径は１０５ｍｍである。２つの吐出孔は、ノズル中心を通り短辺面に平行な平面に対して対称形である。吐出角度（図２のθ）は上向き５〜４５°の範囲内に設定した。吐出方向から見た１つの吐出孔の出口開口部の面積は２３０４ｍｍ２である（各例共通）。吐出延長線（図２の符号５２）は、対向する長辺面の中央位置を通る平面上にある。浸漬ノズル中心から吐出延長線の出発点までの半径（図２のＲ）は５２.５ｍｍである。【００４６】
表２Ａ、表２Ｂに主な連続鋳造条件を示してある。表２Ａ、表２Ｂの例Ｎｏ.は表１の鋼Ｎｏ.と対応している。ここでは、タンディッシュの気相部にシールガスとしてアルゴンガスを用いた操業例を例示した（各例共通）。浸漬ノズルの浸漬深さを変えることによって、浸漬ノズル吐出孔の出口開口部深さ（図２のＨ、すなわち出口開口部中心位置の湯面からの深さ）を調整した。表２中の「モールドサイズ」は湯面高さにおけるサイズである。表２Ａ、表２Ｂ中の「電磁撹拌流速」は、凝固シェルの厚さが５〜１０ｍｍとなる深さ領域において凝固シェル表面が接する溶鋼の長辺方向中央位置での長辺方向平均流速である。【００４７】
吐出延長線が湯面と交わらない比較例もあること考慮して、表２Ａ、表２Ｂ中には、幾何学的距離Ｍとして「対向する短辺間の長辺方向中央位置から、湯面を含む水平面と吐出延長線との交点までの長辺方向距離」を示し、また幾何学的距離Ｌとして「浸漬ノズル吐出孔の出口開口部中心位置から、湯面を含む水平面までの距離」を示してある。本発明例の場合は、表２Ａ、表２Ｂ中の幾何学的距離Ｍが上述図２のＭ（対向する短辺間の長辺方向中央位置から点Ｐまでの長辺方向距離）に相当し、幾何学的距離Ｌが上述図２のＬ（浸漬ノズル吐出孔の出口開口部中心位置から点Ｐまでの距離）に相当する。また、表２Ａ、表２Ｂ中には（１）式および（２）式を充足するか否かについて、それぞれ充足する場合を○印、充足しない場合を×印で示してある。なお、表２Ａ、表２Ｂ中に記載したＭ／Ｗ値が０.５０を超えるものは、吐出延長線が湯面と交わらないことを意味する。【００４８】
表２ＡのＮｏ.１を例に、（１）式中のＭ／Ｗおよび（２）式中のＬ−０.１７Ｖｉの算出例を示す。図２を参照するとわかりやすい。
〔（１）式Ｍ／Ｗの算出例〕
表２ＡのＮｏ.１の例では、出口開口部深さＨ＝１８０ｍｍ、吐出角度θ＝３０°であるから、幾何学的距離ＭはＲ＋１８０／ｔａｎθ＝５２.５＋３１１.８＝３６４.３ｍｍである。幾何学的距離ＬはＨ／ｓｉｎθ＝１８０／０.５＝３６０ｍｍである。対向する短辺の湯面高さにおける距離Ｗは１２５０ｍｍであるから、Ｍ／Ｗ＝３６４.３／１２５０＝０.２９１となる。これは上記（１）式を充足する。【００４９】
〔（２）式Ｌ−０.１７Ｖｉの算出例〕
表２ＡのＮｏ.１の例では、鋳造速度は１.００ｍ／ｍｉｎ＝１６.６７ｍｍ／ｓ、湯面高さでのモールド寸法は２００ｍｍ×１２５０ｍｍ＝２５００００ｍｍ２、吐出孔の数は２個であるから、１つの吐出孔からの単位時間当たりの溶鋼吐出量は２５００００×１６.６７／２＝２０８３７５０ｍｍ３／ｓである。吐出方向（吐出延長線の方向）から見た出口開口部の面積は２３０４ｍｍ２であるから、出口開口部における溶鋼の吐出速度Ｖｉは２０８３７５０／２３０４＝９０４.２ｍｍ／ｓとなる。従って、Ｌ−０.１７Ｖｉ＝３６０−０.１７×９０４.２＝２０６.３となる。これは上記（２）式を充足する。【００５０】
得られた鋳片（連続鋳造スラブ）を、一般的なフェライト系ステンレス鋼板の製造工程（熱間圧延、焼鈍、酸洗、冷間圧延、焼鈍、酸洗）に進め、板厚１ｍｍの冷延焼鈍鋼板のコイルを製造した。そのコイルの全長にわたって、片側表面全幅の表面検査を行い、コイルの長手方向１ｍ毎に区分した各区間について、その区間内に表面欠陥が存在するか否かを調べた。長さ１ｍの区間内に１つでも表面欠陥が存在する場合、その区間を「表面欠陥が存在する区間」とし、コイル全長の区間総数に占める「表面欠陥が存在する区間」の数の割合を当該コイルの欠陥発生率（％）とした。表面欠陥の検出は、通板中のコイル表面の全幅にレーザー光を照射して表面形状の異常を検知する方法と、目視観察とを併用して、検査対象の全てのコイルに対して同一基準で行った。この手法では、連続鋳造時に凝固シェルに取り込まれた異物（非金属粒子、気泡、パウダーなど）に起因する表面欠陥を精度良く検出できる。上記の欠陥発生率が２.５％以下であるフェライト系ステンレス鋼冷延焼鈍鋼板は、表面外観が重視される用途においても、製品歩留まりの大きな向上効果が期待できる。従って、欠陥発生率が２.５％以下であるものを合格（○評価）、それ以外を不合格（×評価）とした。結果を表２Ａ、表２Ｂに示す。【００５１】
【表２Ａ】
2018051483.tif 000004
【００５２】
【表２Ｂ】
2018051483.tif 000005
【００５３】
電磁撹拌（ＥＭＳ）を利用し、かつ上述（１）式および（２）式を満たすように浸漬ノズル吐出孔から水平上向きに溶鋼を吐出させた本発明例では、いずれも冷延焼鈍鋼板での欠陥発生率が低く抑えられ、連続鋳造時に溶鋼中の異物が凝固シェルに巻き込まれる事象を安定して顕著に抑制できる効果が確認された。【００５４】
これに対し、Ｎｏ.１３〜１８はＭ／Ｗが０.４５を超えるような吐出方向であり、またＬ−０.１７Ｖｉが過大であったことから、湯面温度が十分に高く維持できなかった。その結果、異物巻き込みが多くなり冷延焼鈍鋼板での欠陥発生率が高かった。Ｎｏ.１９は浸漬ノズルの浸漬深さが浅かったのでＭ／Ｗが０.１５未満となるような吐出方向となり、短辺に近い箇所で湯面温度の低下が大きかった。その結果、異物巻き込みが多くなった。Ｎｏ.２０、２１は吐出速度Ｖｉが比較的低い割にはＬが長く、Ｌ−０.１７Ｖｉが過大となったため湯面温度が十分に高く維持できなかった。その結果、異物巻き込みが多くなった。Ｎｏ.２４、２５は吐出速度Ｖｉが比較的高い割にはＬが短く、湯面の波立ちが大きかったので、モールドパウダーの巻き込みが多くなった。このうちＮｏ.２４はＭ／Ｗが０.１５未満となるような吐出方向であったため、湯面温度の不均一さが増大し、異物の巻き込みが一層増大した。Ｎｏ.２７はＭ／Ｗが０.４５を超えるような吐出方向であったため、湯面温度が十分に高く維持できなかった。その結果、異物巻き込みが多くなった。【００５５】
《実施例２》
表２Ａに示した一部の溶製チャージを利用して、異物巻き込み抑制効果に及ぼす電磁撹拌の影響を調べた。表３に、連続鋳造条件および冷延焼鈍鋼板の欠陥発生状況を示してある。表示項目は前述表２Ａと同様である。ここで、表３中の例Ｎｏ．の数字部分が、表２Ａ中の例Ｎｏ.の数字に対応しており、その数字が同じである例はいずれも同一溶製チャージである。同じ溶製チャージで電磁撹拌条件のみを段階的に変化させ、それぞれの電磁撹拌条件下で製造した鋳片（連続鋳造スラブ）を用いて実施例１と同様に冷延焼鈍鋼板のコイルを製造し、表面検査を行った。検査方法も実施例１と同じである。表３中の電磁撹拌流速が３００ｍｍ／ｓの例は、表２Ａに掲載した例の再掲である。電磁撹拌流速が０ｍｍ／ｓの例は、電磁撹拌を行っていないことを意味する。【００５６】
【表３】
2018051483.tif 000006
【００５７】
前述の（１）式および（２）式を満たす条件を採用しても、電磁撹拌を行わない場合には、異物巻き込みの抑制効果が十分に発揮されないことがわかる。
【符号の説明】
【００５８】
１０    長辺方向
１１Ａ、１１Ｂ    モールド
１２Ａ、１２Ｂ    長辺面
２０    短辺方向
２１Ａ、２１Ｂ    モールド
２２Ａ、２２Ｂ    短辺面
３０    浸漬ノズル
３１    吐出孔
３２    吐出孔の出口開口部
４０    溶鋼
４１    湯面
４２    凝固シェル
５１    吐出方向
５２    吐出延長線
６０Ａ、６０Ｂ    電磁撹拌による溶鋼流方向
７０Ａ、７０Ｂ    電磁撹拌装置
【図１】
2018051483.tif 000007
【図２】
2018051483.tif 000008
【図３】
2018051483.tif 000009
【図４】
2018051483.tif 000010
【国際調査報告】
2018051483.tif 000011
2018051483.tif 000012